(57)【要約】【課題】マルチメディアシステムにおける効率的なデータ保存／再生方法を提供すること。【解決手段】マルチメディアシステムが具備するディスクドライブに対するデータ記録／再生方法が提供される。このデータ記録／再生方法は，前記ディスクドライブに記録対象の情報を，ストリーム情報と，ストリーム情報を管理するための非ストリーム情報とに分離して，ストリーム情報をディスクに記録し，非ストリーム情報をディスクではない別途の追加メモリ手段に保存する。再生モードでは，まず，上記追加メモリ手段に保存された非ストリーム情報に含まれる付加情報を読み出して，この付加情報に基づいて目標トラックをシークして，ストリーム情報を再生する。これにより，ストリーム情報をリード／ライトする際，対応する非ストリーム情報をディスクに対してリード／ライトするためのシーク時間及びリード／ライト時間を短縮できる。【選択図】図２
2005018978.tif 000002
【特許請求の範囲】
【請求項１】
マルチメディアシステムが具備するディスクドライブに対するデータ記録／再生方法において：
記録対象の情報を，ストリーム情報と非ストリーム情報とに分離する段階と；
前記ディスクドライブのディスクにおいて，前記ストリーム情報が記録される目標トラックを決定する段階と；
前記非ストリーム情報と，前記決定された目標トラックに関する情報とを，前記ディスクとは異なる追加メモリ手段に記録する段階と；
を含むことを特徴とする，データ記録／再生方法。
【請求項２】
前記ストリーム情報を前記決定された目標トラックに記録する段階；
をさらに含むことを特徴とする，請求項１に記載のデータ記録／再生方法。
【請求項３】
前記ストリーム情報は，オーディオストリーム情報及び／又はビデオストリーム情報を含むことを特徴とする，請求項１または２のいずれかに記載のデータ記録／再生方法。
【請求項４】
前記追加メモリ手段は，不揮発性メモリを含むことを特徴とする，請求項１，２または３のいずれかに記載のデータ記録／再生方法。
【請求項５】
前記非ストリーム情報は，前記ストリーム情報のファイルの名称，データサイズ及び位置に関する情報を含むことを特徴とする，請求項１，２，３または４のいずれかに記載のデータ記録／再生方法。
【請求項６】
前記追加メモリ手段の保存データを検索して，再生対象のストリーム情報が記録されている前記ディスクの目標トラックに関する情報を含む非ストリーム情報を抽出する段階と；
前記抽出された目標トラックに関する情報に基づいて，前記ディスクの目標トラックから前記再生対象のストリーム情報を読み出す段階と；
をさらに含むことを特徴とする，請求項１，２，３，４または５のいずれかに記載のデータ記録／再生方法
【請求項７】
マルチメディアシステムが具備するディスクドライブのディスクに保存されたストリーム情報を再生する方法において：
前記ディスクとは異なる追加メモリ手段の保存データを検索して，再生対象のストリーム情報が記録されている前記ディスクの目標トラックに関する情報を含む非ストリーム情報を抽出する段階と；
前記抽出された目標トラックに関する情報に基づいて，前記再生対象のストリーム情報が記録されている目標トラックを決定する段階と；
前記決定された目標トラックから，前記再生対象のストリーム情報を読み出す段階と；
を含むことを特徴とする，データ再生方法。
【請求項８】
前記ストリーム情報は，オーディオストリーム情報及び／又はビデオストリーム情報を含むことを特徴とする，請求項７に記載のデータ再生方法。
【請求項９】
前記追加メモリ手段は，不揮発性メモリを含むことを特徴とする，請求項７または８のいずれかにに記載のデータ再生方法。
【請求項１０】
前記非ストリーム情報は，前記ストリーム情報のファイルの名称，データサイズ及び位置に関する情報を含むことを特徴とする，請求項７，８または９のいずれかに記載のデータ再生方法。
【請求項１１】
マルチメディアシステムにおけるデータ記録／再生装置であって：
記録対象の情報をストリーム情報と非ストリーム情報とに分離するオーディオ／ビデオコントローラと；
前記ストリーム情報を記録するディスクドライブのディスクと；
前記ストリーム情報が記録される前記ディスクの目標トラックを決定するディスクドライブコントローラと；
前記非ストリーム情報及び前記目標トラックに関する情報を保存する，前記ディスクとは異なる追加メモリ手段と；
を備えることを特徴とする，データ記録／再生装置。
【請求項１２】
前記ストリーム情報は，オーディオストリーム情報及び／又はビデオストリーム情報を含むことを特徴とする，請求項１１に記載のデータ記録／再生装置。
【請求項１３】
前記追加メモリ手段は，不揮発性メモリを含むことを特徴とする，請求項１１または１２のいずれかに記載のデータ記録／再生装置。
【請求項１４】
前記非ストリーム情報は，前記ストリーム情報のファイルの名称，データサイズ及び位置に関する情報を含むことを特徴とする，請求項１１，１２または１３のいずれかに記載のデータ記録／再生装置
【請求項１５】
前記追加メモリ手段の保存データを検索して，再生対象のストリーム情報が記録されている前記ディスクの目標トラックに関する情報を含む非ストリーム情報を抽出するインターフェース回路をさらに備え，
前記ディスクドライブコントローラは，前記抽出された目標トラックに関する情報に基づいて，前記ディスクの目標トラックから前記再生対象のストリーム情報を読み出すことを特徴とする，請求項１１，１２，１３または１４のいずれかに記載のデータ記録／再生装置。
【請求項１６】
マルチメディアシステムにおけるデータ再生装置であって：，
ストリーム情報を記録するディスクドライブのディスクと；
前記ストリーム情報が記録される前記ディスクの目標トラックに関する情報を含む非ストリーム情報を保存する，前記ディスクとは異なる追加メモリ手段と；
前記追加メモリ手段の保存データを検索して，再生対象のストリーム情報が記録されている前記ディスクの目標トラックの識別情報を含む非ストリーム情報を抽出するインターフェース回路と；
前記抽出された目標トラックの識別情報に基づいて，前記ディスクの目標トラックから前記再生対象のストリーム情報を読み出すディスクドライブコントローラと；
を備えることを特徴とする，データ再生装置。
【請求項１７】
前記ストリーム情報は，オーディオストリーム情報及び／又はビデオストリーム情報を含むことを特徴とする，請求項１６に記載のデータ再生装置。
【請求項１８】
前記追加メモリ手段は，不揮発性メモリを含むことを特徴とする，請求項１６または１７のいずれかに記載のデータ再生装置。
【請求項１９】
前記非ストリーム情報は，前記ストリーム情報のファイルの名称，データサイズ及び位置に関する情報を含むことを特徴とする，請求項１６，１７または１８のいずれかに記載のデータ再生装置。
【発明の詳細な説明】
【技術分野】
【０００１】
本発明は，データ記録／再生方法，データ再生方法，データ記録／再生装置，データ再生装置に関し，特に，データをディスクドライブに効率的に保存／再生するためのデータ記録／再生方法，データ再生方法，データ記録／再生装置，データ再生装置に関する。
【背景技術】
【０００２】
一般的に，マルチメディアシステムは，オーディオ／ビデオ（ＡＶ；Ａｕｄｉｏ  Ｖｉｄｅｏ）信号を処理するＡＶ機器と，このＡＶ機器で処理されたデータを保存する保存手段とを含む。保存手段の一例として，ハードディスクドライブ（ＨＤＤ：Ｈａｒｄ  Ｄｉｓｋ  Ｄｒｉｖｅ）が利用される。
【０００３】
図１は，従来の技術によるマルチメディアシステムにおけるデータ記録／再生方法を説明するためのブロック図である。
【０００４】
図１に示すように，従来の技術によるマルチメディアシステムにおいて，ホスト機器（ＡＶ機器）１１０で処理されたデータを，ＨＤＤに記録する場合には，ＡＶストリームデータＳ以外に，このＡＶストリームデータＳを管理するための付加情報Ａを生成して，ホストバッファ１２０及びインターフェース回路１３０を経て，ＨＤＤのＨＤＤバッファ１４０に伝送する。一般的に，ＡＶストリームデータＳは，連続したアドレスに記録され，データサイズ（データ量）が比較的多い。これに対し，付加情報Ａは，ファイルの名称，サイズ，位置などといった，ストリームデータＳを管理するための情報を含み，ＡＶストリームデータＳとは異なるアドレスに記録され，データサイズも比較的小さい。
【０００５】
そして，ＨＤＤは，ＨＤＤバッファ１４０に保存された情報を読み出し，ＡＶストリームデータＳをディスク１５０のユーザデータ保存領域に記録し，付加情報Ａをディスク１５０のユーザデータ保存領域とは別途の，ファイル割当テーブルが保存されたアドレス領域に記録する。
【０００６】
一報，ＡＶ機器１１０でＨＤＤに保存されたＡＶデータを再生するためには，まず，ＡＶデータＳの再生前に，ディスク１５０に保存されたファイル割当テーブルから付加情報Ａを読み出し，再生しようとするファイルが記録されたディスク１５０の位置を確認する。次いで，当該ファイルが保存されたディスク１５０の位置を探索して，ＡＶデータＳを再生する。
【０００７】
これにより，ＡＶデータをディスクに記録する場合や，或いは，ディスクに保存されたＡＶデータを再生する場合には，まず，ディスクのファイル割当テーブルに付加情報を記録する，或いは，ディスクから付加情報を再生する必要があるため，付加情報をディスクに記録／再生するためのシーク時間がかかっていた。このため，記録／再生するＡＶデータのファイル数が多い場合には，ＨＤＤのディスクに対するアクセス時間が長くなってしまうという問題点があった。
【０００８】
このような問題に対処すべく，特許文献１には，ＨＤＤのアクセス時間を短縮させるための技術である「マルチメディア情報検索方式」が記載されている。
【０００９】
この特許文献１の「マルチメディア情報検索方式」の技術は，光磁気ディスク再生装置以外に，光磁気ディスクの管理のために情報を検索するための装置，インデックステーブル及びこのインデックステーブルを管理するための別途のＨＤＤを利用して，アクセス時間を短縮させることを特徴としている。
【００１０】
しかし，この従来技術でも，ＨＤＤにインデックステーブルなる付加情報を保存する必要があるため，付加情報のアクセスに要するシーク時間が長くなるという問題点を改善できなかった。
【００１１】
【特許文献１】特開平０７−１９２０１７号公報
【発明の開示】
【発明が解決しようとする課題】
【００１２】
そこで，本発明は，上記問題に鑑みてなされたものであり，本発明の目的とするところは，マルチメディアシステムにおいて，ＡＶデータ等のデータを効率的に記録／再生することが可能な，新規かつ改良されたデータ記録／再生方法，データ再生方法，データ記録／再生装置，データ再生装置を提供することにある。
【課題を解決するための手段】
【００１３】
上記課題を解決するために，本発明のある観点によれば，マルチメディアシステムが具備するディスクドライブに対するデータ記録／再生方法が提供される。このデータ記録／再生方法は，記録対象の情報を，ストリーム情報と非ストリーム情報とに分離する段階と；ディスクドライブのディスクにおいて，ストリーム情報が記録される目標トラックを決定する段階と；非ストリーム情報と，決定された目標トラックに関する情報とを，ディスクとは異なる追加メモリ手段に記録する段階と；を含むことを特徴とする。
【００１４】
また，上記ストリーム情報を決定された目標トラックに記録する段階；をさらに含むようにしてもよい。
【００１５】
また，上記ストリーム情報は，オーディオストリーム情報及び／又はビデオストリーム情報を含むようにしてもよい。
【００１６】
また，上記追加メモリ手段は，不揮発性メモリを含むようにしてもよい。
【００１７】
また，上記非ストリーム情報は，ストリーム情報のファイルの名称，データサイズ及び位置に関する情報を含むようにしてもよい。
【００１８】
また，上記追加メモリ手段の保存データを検索して，再生対象のストリーム情報が記録されているディスクの目標トラックに関する情報を含む非ストリーム情報を抽出する段階と；抽出された目標トラックに関する情報に基づいて，ディスクの目標トラックから再生対象のストリーム情報を読み出す段階と；をさらに含むようにしてもよい。
【００１９】
また，上記課題を解決するために，本発明の別の観点によれば，マルチメディアシステムが具備するディスクドライブのディスクに保存されたストリーム情報を再生する方法が提供される。このデー多妻制方法は，ディスクとは異なる追加メモリ手段の保存データを検索して，再生対象のストリーム情報が記録されているディスクの目標トラックに関する情報を含む非ストリーム情報を抽出する段階と；抽出された目標トラックに関する情報に基づいて，再生対象のストリーム情報が記録されている目標トラックを決定する段階と；決定された目標トラックから，再生対象のストリーム情報を読み出す段階と；を含むことを特徴とする。
【００２０】
また，上記ストリーム情報は，オーディオストリーム情報及び／又はビデオストリーム情報を含むようにしてもよい。
【００２１】
また，上記追加メモリ手段は，不揮発性メモリを含むようにしてもよい。
【００２２】
また，上記非ストリーム情報は，ストリーム情報のファイルの名称，データサイズ及び位置に関する情報を含むようにしてもよい。
【００２３】
また，上記課題を解決するために，本発明の別の観点によれば，マルチメディアシステムにおけるデータ記録／再生装置であって：記録対象の情報をストリーム情報と非ストリーム情報とに分離するオーディオ／ビデオコントローラと；ストリーム情報を記録するディスクドライブのディスクと；ストリーム情報が記録されるディスクの目標トラックを決定するディスクドライブコントローラと；非ストリーム情報及び目標トラックに関する情報を保存する，ディスクとは異なる追加メモリ手段と；を備えることを特徴とするデータ記録／再生装置が提供される。
【００２４】
また，上記ストリーム情報は，オーディオストリーム情報及び／又はビデオストリーム情報を含むようにしてもよい。
【００２５】
また，上記追加メモリ手段は，不揮発性メモリを含むようにしてもよい。
【００２６】
また，上記非ストリーム情報は，ストリーム情報のファイルの名称，データサイズ及び位置に関する情報を含むようにしてもよい。
【００２７】
また，上記追加メモリ手段の保存データを検索して，再生対象のストリーム情報が記録されているディスクの目標トラックに関する情報を含む非ストリーム情報を抽出するインターフェース回路をさらに備え，上記ディスクドライブコントローラは，抽出された目標トラックに関する情報に基づいて，ディスクの目標トラックから再生対象のストリーム情報を読み出すようにしてもよい。
【００２８】
また，上記課題を解決するために，本発明の別の観点によれば，マルチメディアシステムにおけるデータ再生装置であって：，ストリーム情報を記録するディスクドライブのディスクと；ストリーム情報が記録されるディスクの目標トラックに関する情報を含む非ストリーム情報を保存する，ディスクとは異なる追加メモリ手段と；追加メモリ手段の保存データを検索して，再生対象のストリーム情報が記録されているディスクの目標トラックの識別情報を含む非ストリーム情報を抽出するインターフェース回路と；抽出された目標トラックの識別情報に基づいて，ディスクの目標トラックから再生対象のストリーム情報を読み出すディスクドライブコントローラと；を備えることを特徴とするデータ再生装置が提供される。
【００２９】
また，上記ストリーム情報は，オーディオストリーム情報及び／又はビデオストリーム情報を含むようにしてもよい。
【００３０】
また，上記追加メモリ手段は，不揮発性メモリを含むようにしてもよい。
【００３１】
また，上記非ストリーム情報は，ストリーム情報のファイルの名称，データサイズ及び位置に関する情報を含むようにしてもよい。
【発明の効果】
【００３２】
以上説明したように本発明によれば，マルチメディアシステムで処理される情報を，ストリーム情報と，ストリーム情報を管理するための非ストリーム情報とに分離して，ストリーム情報だけをディスクドライブのディスクに記録し，非ストリーム情報は，ディスク以外の別途の保存手段に記録する。これにより，ストリーム情報をリード／ライトするときに，非ストリーム情報をディスクにリード／ライトするためのシーク時間及びリード／ライト時間を短縮できる。このため，マルチメディアシステムにおいて，ＡＶデータ等のデータを効率的に記録／再生することができる
【発明を実施するための最良の形態】
【００３３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３４】
（第１の実施形態）
まず，図２に基づいて，本発明の第１の実施形態にかかるマルチメディアシステムにおける効率的なデータ記録／再生方法の基本原理について説明する。なお，図２は，本実施形態にかかるマルチメディアシステムの概略構成を示すブロック図である。
【００３５】
図２に示すように，マルチメディアシステムは，ホスト機器２１０，ホストバッファ２２０，インターフェース回路２３０，ＨＤＤバッファ２４０，ＨＤＤのディスク（第１の保存手段）２５０，及び追加メモリ手段（第２の保存手段）２６０を備える。
【００３６】
以下に，図２を参照しながら，本実施形態におけるデータ記録／再生プロセスの基本的な原理を説明する。なお，本実施形態では，マルチメディアシステムのホスト機器２１０の一例として，音声データ（Ａｕｄｉｏ  ｄｅｔａ）及び／又は映像データ（Ｖｉｄｅｏ  ｄａｔａ）を記録／再生するＡＶ機器（以下ではＡＶ機器２１０と表現する。）の例を挙げて説明するが，かかる例に限定されるものではない。
【００３７】
まず，ＡＶ機器２１０で処理されたデータを，ハードディスクドライブに記録する（書き込む）記録モードについて説明する。
【００３８】
ＡＶ機器２１０は，内部で処理された信号をストリーム情報Ｓと非ストリーム情報Ａとに分離して，ホストバッファ２２０に記憶する。上記非ストリーム情報Ａは，ストリーム情報Ｓの属性情報であり，例えば，ビデオ／オーディオデータのファイル名称に関する情報，当該ファイルのデータサイズに関する情報，及び当該ファイルが記憶されている位置情報などを含む。
【００３９】
また，インターフェース回路２３０は，ホストバッファ２２０に記憶された情報（ストリーム情報Ｓ，非ストリーム情報Ａ）を読み出し，非ストリーム情報Ａを，ＨＤＤのディスク２５０とは異なる別途の追加メモリ手段２６０に保存し，一方，ストリーム情報Ｓを，ＨＤＤバッファ２４０に保存する。例えば，ストリーム情報Ｓには，ビデオストリーム情報（ビデオデータ）及びオーディオストリーム情報（オーディオデータ）等が含まれる。また，非ストリーム情報Ａには，ストリーム情報Ｓの処理に利用される付加情報が含まれる。
【００４０】
また，ＨＤＤは，ＨＤＤバッファ２４０に保存されたストリーム情報Ｓを読み出して，読み出されたストリーム情報Ｓに対して，記録のための信号処理を施した後に，ＨＤＤのディスク２５０に記録する。
【００４１】
これにより，ＨＤＤのディスク２５０にはＡＶストリーム情報Ｓだけが保存され，ストリーム情報Ｓを管理するための非ストリーム情報Ａは，ディスク２５０ではない別途の追加メモリ手段２６０に保存される。
【００４２】
次いで，ハードディスクドライブに保存された情報を読み出す再生モードについて説明する。
【００４３】
再生モードでは，まず，インターフェース回路２３０は，例えば，ユーザ等から再生指示を受けたストリーム情報Ｓ（ビデオ／オーディオデータ）に対応する非ストリーム情報Ａを，保持手段２６２から読み出す。具体的には，インターフェース回路２３０は，例えば，追加メモリ手段２６０に保存されている非ストリーム情報Ａに含まれるストリーム情報Ｓを管理するための付加情報を読み出す。インターフェース回路２３０は，読み出した付加情報を，ホストバッファ２２０を通じてホスト機器２１０に伝送する。次いで，ホスト機器２１０のコントローラ（図示せず。）は，上記読み出された付加情報に基づいて，ストリーム情報Ｓの読み出し命令信号（ＲＥＡＤ命令）を生成し，生成した読み出し命令信号をホストバッファ２２０及びインターフェース回路２３０を通じて，ＨＤＤに伝送する。次いで，ＨＤＤは，入力された読み出し命令信号に基づいて，ディスク２５０の目標トラックに保存されているストリーム情報Ｓを読み出して，ホスト機器２１０に伝送する。
【００４４】
次いで，図３に基づいて，本実施形態にかかるマルチメディアシステムの構成について詳細に説明する。なお，図３は，本実施形態にかかるマルチメディアシステムの詳細な構成を示すブロック図である。
【００４５】
図３に示すように，本実施形態にかかる上記ＡＶ機器２１０と上記ＨＤＤとを備えるマルチメディアシステムは，ＡＶ信号処理回路３０１と，ＡＶコントローラ３０２と，ＡＶバッファ３０３と，ディスプレイ３０４と，インターフェース回路３０５と，追加メモリ手段２６０の一例である付加情報メモリ３０６と，ＨＤＤバッファ３０７と，リード／ライト（Ｒ／Ｗ：Ｒｅａｄ／Ｗｒｉｔｅ）チャンネル回路３０８と，プリアンプ３０９と，ＨＤＤコントローラ３１０と，ＲＯＭ（Ｒｅａｄ  Ｏｎｌｙ  Ｍｅｍｏｒｙ）３１１と，ＲＡＭ（Ｒａｎｄｏｍ  Ａｃｃｅｓｓ  Ｍｅｍｏｒｙ）３１２と，ＶＣＭ（Ｖｏｉｃｅ  Ｃｏｉｌ  Ｍｏｔｏｒ）駆動部３１３と，ボイスコイル３１４と，変換器３１５と，ディスク３１６とから構成される。
【００４６】
このうち，ＡＶ信号処理回路３０１，ＡＶコントローラ３０２，およびディスプレイ３０４は，上記ＡＶ機器２１０に設けられる。また，ＡＶバッファ３０３は，上記図２のホストバッファ２２０に相当する。また，インターフェース回路３０５は，上記図２のインターフェース回路２３０に相当する。また，付加情報メモリ３０６は，上記図２の追加メモリ手段２６０に相当する。また，ＨＤＤバッファ３０７は，上記図２のＨＤＤバッファ２４０に相当する。また，リード／ライトチャンネル回路３０８，プリアンプ３０９，ＨＤＤコントローラ３１０，ＲＯＭ３１１，ＲＡＭ３１２，ＶＣＭ駆動部３１３，ボイスコイル３１４，変換器３１５およびディスク３１６は，上記ＨＤＤに設けられる。
【００４７】
ＡＶ信号処理回路３０１は，ＡＶ信号を記録／再生するための符号化及び復号化処理を実行するデジタル信号プロセッサ（ＤＳＰ：Ｄｉｇｉｔａｌ  Ｓｉｇｎａｌ  Ｐｒｏｃｅｓｓｏｒ）等を含む回路から構成され，ＡＶコントローラ３０２からの指示命令に応じたモードの信号処理を実行する。
【００４８】
ＡＶコントローラ３０２は，ＡＶ機器２１０全体を制御し，マルチメディアシステムのホストコントローラの役割を実行する。特に，ＡＶコントローラ３０２は，記録モードで，ＡＶ信号処理回路３０１で処理された情報を，ストリーム情報Ｓと非ストリーム情報Ａとに分離して，ＡＶバッファ３０３に保存するように制御する。
【００４９】
ＡＶバッファ３０３は，ＡＶ信号処理回路３０１で処理されたデータ，またはインターフェース回路３０５を通じてＨＤＤから伝送されたデータを一時的に記憶する。
【００５０】
ディスプレイ３０４は，ＡＶ信号処理回路３０１で再生処理されたビデオ信号を画面に表示出力するモニタである。
【００５１】
インターフェース回路３０５は，ＡＶ機器２１０とＨＤＤ間の情報の送受信プロセスを実行する。特に，インターフェース回路３０５は，記録モードで，ＡＶバッファ３０３から読み出した情報のうち，非ストリーム情報Ａを付加情報メモリ３０６に保存し，ストリーム情報ＳをＨＤＤバッファ３０７に保存するように制御する。
【００５２】
付加情報メモリ３０６は，追加メモリ手段２６０の一例として構成されており，非ストリーム情報Ａを保存する。具体的には，付加情報メモリ３０６は，例えば，ストリーム情報Ｓを管理するファイル割当テーブルを含む付加情報を保存する。ここで，付加情報メモリ３０６は，ＨＤＤのディスク３１６とは異なるデータ保存手段であり，例えば，フラッシュメモリ等の不揮発性メモリ素子などで構成できる。
【００５３】
ＨＤＤバッファ３０７は，ＨＤＤのＲ／Ｗチャンネル回路３０８で再生された情報，またはＡＶ機器２１０で処理されたストリーム情報Ｓを一時的に記憶する。
【００５４】
Ｒ／Ｗチャンネル回路３０８は，例えば，ビデオ／オーディオデータ（ストリーム情報Ｓに相当する。）を，Ａ／Ｄ変換，Ｄ／Ａ変換する信号処理を実行する。具体的には，Ｒ／Ｗチャンネル回路３０８は，再生モードでは，変換器３１５によってディスク３１６から読み出されて，プリアンプ回路３０９で増幅されたアナログ信号を，ＡＶ機器２１０で解読できるデジタルデータにＡ／Ｄ変換して，ＨＤＤバッファ３０７に出力する。また，Ｒ／Ｗチャンネル回路３０８は，記録モードでは，ＨＤＤバッファ３０７から読み出したストリーム情報Ｓをディスク３１６に記録できるようなアナログ信号に，Ｄ／Ａ変換して，プリアンプ３０９に出力する。
【００５５】
プリアンプ３０９は，ディスク３１６に記録する信号を増幅して記録電流を生成し，変換器３１５に印加する。また，プリアンプ３０９は，変換器３１５で感知された信号を増幅してＲ／Ｗチャンネル回路３０８に出力する。
【００５６】
ＨＤＤコントローラ３１０は，ＡＶコントローラ３０２から伝送された命令に基づいて，ＨＤＤ全体を制御する。
【００５７】
メモリ素子３１１，３１２は，各種のソフトウェアルーチンを実行するためにＨＤＤコントローラ３１０によって使用される命令語及びデータを，記憶する。
【００５８】
ＶＣＭ駆動部３１３は，ＨＤＤコントローラ３１０によるシーク制御に従って，駆動電流を生成し，ボイスコイルモータ３１４を励起させて，変換器３１５を移動させる。
【００５９】
次に，本実施形態にかかるマルチメディアシステムのＡＶ機器２１０で処理された情報をＨＤＤに記録するデータ記録方法（記録モード）と，ＨＤＤに保存された情報を再生して処理するデータ再生方法（再生モード）について具体的に説明する。
【００６０】
まず，図４に基づいて，図３を参照しながら，本実施形態にかかるマルチメディアシステムにおけるデータ記録方法について説明する。なお，図４は，本実施形態にかかるマルチメディアシステムにおけるデータ記録方法を示すフローチャートである。
【００６１】
まず，ＡＶコントローラ３０２は，書き込み命令信号（ＷＲＩＴＥ命令）の生成の有無に基づいて，記録モードを開始するか否かを判断する（Ｓ４０１）。
【００６２】
この結果，記録モードを開始すると判断された場合には，ＡＶコントローラ３０２は，ＡＶ信号処理回路３０１で処理されたデータを，ストリーム情報Ｓと非ストリーム情報Ａとに分離して（Ｓ４０２），ＡＶバッファ３０３にそれぞれ保存する（Ｓ４０３）。例えば，ストリーム情報Ｓには，ビデオストリーム情報とオーディオストリーム情報とが含まれ，非ストリーム情報Ａには，上記ストリーム情報Ｓの処理に利用される付加情報が含まれる。
【００６３】
次いで，インターフェース回路３０５は，ＨＤＤバッファ３０７に伝送要求信号を伝送する（Ｓ４０４）。
【００６４】
それにより，ＨＤＤバッファ３０７にデータを記憶可能な空き領域が存在すると判断した場合には，ＨＤＤコントローラ３１０は，書き込み許可信号（ＷＲＩＴＥ許可信号）を生成して，インターフェース回路３０５に応信する。一方，ＨＤＤバッファ３０７にデータを記憶可能な空き領域が存在しないと判断した場合には，ＨＤＤコントローラ３１０は，ＨＤＤバッファ３０７が一杯（ＦＵＬＬ）であることを通知する待機信号を生成して，インターフェース回路３０５に伝送する。このように，インターフェース回路３０５は，ＨＤＤから上記ＷＲＩＴＥ許可信号が返信されたか否かを判断している（Ｓ４０５）。この結果，返信された場合には，ステップＳ４０７に進み，一方，返信されていない場合には，ＨＤＤバッファ３０７に記憶可能な空き領域が発生するまで待機する（Ｓ４０６）。
【００６５】
さらに，インターフェース回路３０５は，ＨＤＤバッファ３０７からＷＲＩＴＥ許可信号が受信されると，ＡＶバッファ３０３に保存されたデータを読み出し（Ｓ４０７），その後，読み出した情報がストリーム情報Ｓであるか否かを判断する（Ｓ４０８）。
【００６６】
この結果，ＡＶバッファ３０３から読み出した情報がストリーム情報Ｓではない場合，即ち，読み出した情報が非ストリーム情報Ａである場合には，インターフェース回路３０５は，付加情報メモリ３０６に非ストリーム情報Ａを書き込むプロセスを実行する（Ｓ４０９）。
【００６７】
ここで，図６に基づいて，かかるＳ４０９段階について詳細に説明する。なお，図６は，図４に示すＳ４０９段階の詳細を示すフローチャートである。
【００６８】
図６に示すように，インターフェース回路３０５は，図４のＳ４１１段階で使われる，ストリーム情報Ｓに対応するディスク３１６の目標トラックに関する情報を，ＨＤＤコントローラ３１０から受信する（Ｓ４０９Ａ）。
【００６９】
次いで，インターフェース回路３０５は，ディスク３１６の目標トラックに関する情報を，ＡＶバッファ３０３からの付加情報（非ストリーム情報Ａ）に追加する（Ｓ４０９Ｂ）。
【００７０】
次いで，インターフェース回路３０５は，Ｓ４１１段階で使われるストリーム情報Ｓに対応するディスク３１６の目標トラックに関する情報が追加された付加情報（非ストリーム情報Ａ）全体を，付加情報メモリ３０６に保存する（Ｓ４０９Ｃ）。
【００７１】
以上のようなＳ４０９Ａ〜Ｃ段階によってＳ４０９段階が実行される。
【００７２】
次いで，図４に戻り，ＡＶバッファ３０３から読み出されたストリーム情報Ｓが，ＨＤＤバッファ３０７に書き込まれる（Ｓ４１０）。
【００７３】
さらに，ＨＤＤバッファ３０７に保存されたストリーム情報Ｓが読み出され，当該読み出されたストリーム情報Ｓは，Ｒ／Ｗチャンネル回路３０８によってディスク３１６に記録できるようなアナログ信号に変換され，プリアンプ３０９によって増幅された後に，変換器３１５によってディスク３１６の目標トラックに記録される（Ｓ４１１）。
【００７４】
次に，図５および図７に基づいて，図３を参照しながら，本実施形態にかかるマルチメディアシステムにおけるデータ再生方法（再生モード実行方法）について説明する。なお，図５は，本実施形態にかかるマルチメディアシステムにおけるデータ再生方法を示すフローチャートである。
【００７５】
図５に示すように，まず，ＡＶコントローラ３０２は，書き込み命令信号（ＲＥＡＤ命令）の生成の有無に基づいて，再生モードを開始するか否かを判断する（Ｓ５０１）。
【００７６】
この結果，再生モードを開始すると判断された場合には，ＡＶコントローラ３０２からの制御命令に応じて，インターフェース回路３０５は，付加情報メモリ３０６から，再生対象のストリーム情報Ｓのファイル（ストリームファイル）に関する付加情報を読み出して，ＡＶバッファ３０３を通じてＡＶコントローラ３０２に伝送する（Ｓ５０２）。インターフェース回路３０５は，付加情報メモリ３０６を検索し，再生対象のストリーム情報Ｓが保存されているディスク３１６の目標トラックに関する情報を含む付加情報（非ストリームＡ）を抽出し，かかる付加情報をＡＶコントローラ３０２に伝送する。
【００７７】
これに応じて，ＡＶコントローラ３０２は，上記再生対象のストリームファイルの付加情報に基づいて，上記再生対象のストリーム情報Ｓの読み出し命令信号を生成し，当該読み出し命令信号を，ＡＶバッファ３０３及びインターフェース回路３０５を通じてＨＤＤに伝送する（Ｓ５０３）。
【００７８】
ここで，図７に基づいて，かかるＳ５０３段階について詳細に説明する。なお，図７は，図５に示すＳ５０３段階の詳細を示すフローチャートである。
【００７９】
図７に示すように，まず，ＡＶコントローラ３０２は，インターフェース回路３０５から，再生対象のストリーム情報Ｓが保存されているディスク３１６の目標トラックに関する情報を含む付加情報（非ストリームＡ）を，受信する（Ｓ５０３Ａ）。
【００８０】
次いで，インターフェース回路３０５は，所望のストリーム情報Ｓが保存されているディスク３１６の目標トラックの位置を判定し，当該目標トラックの識別情報を生成する（Ｓ５０３Ｂ）。
【００８１】
次いで，ＡＶコントローラ３０２は，所望のストリーム情報Ｓが保存されているディスク３１６の目標トラックの識別情報を含む読み出し命令信号を生成して，ＨＤＤコントローラ３１０に伝送する（Ｓ５０３Ｃ）。
【００８２】
以上のようなＳ５０３Ａ〜Ｃ段階によってＳ４０９段階が実行される。
【００８３】
次いで，図５に戻り，Ｓ５０４段階では，ＨＤＤにおける読み出し（ＲＥＡＤ）プロセスが実行される。具体的には，ＨＤＤコントローラ３１０は，ＨＤＤバッファ３０７を通じて入力される読み出し命令信号を分析して，変換器３１５を目標トラックに移動させるためのＶＣＭ駆動電圧をＶＣＭ駆動部３１３に印加する。これにより，ディスク３１６に記録されている再生対象のストリーム情報Ｓは変換器３１５によって感知された後に，プリアンプ３０９で増幅され，Ｒ／Ｗチャンネル回路３０８により，ＡＶ信号処理回路３０１で解読可能なデジタルデータに変換される（Ｓ５０４）。
【００８４】
次いで，ＨＤＤコントローラ３１０は，Ｒ／Ｗチャンネル回路３０８により変換されたデジタルデータを，ＨＤＤバッファ３０７に書き込み（Ｓ５０５），インターフェース回路３０５を通じて，ＡＶ機器２１０のＡＶバッファ３０３に伝送要求信号を伝送する（Ｓ５０６）。
【００８５】
これにより，ＡＶバッファ３０３にデータを記憶可能な空き領域が存在すると判断した場合には，ＡＶコントローラ３０２は，書き込み許可信号（ＷＲＩＴＥ許可信号）を生成して，インターフェース回路３０５に応信する。一方，ＡＶバッファ３０３にデータを記憶可能な空き領域が存在しないと判断した場合には，ＡＶコントローラ３０２は，ＡＶバッファ３０３が一杯（ＦＵＬＬ）であることを通知する待機信号を生成して，インターフェース回路３０５に伝送する。このように，インターフェース回路３０５は，ＡＶ機器２１０から上記ＷＲＩＴＥ許可信号が返信されたか否かを判断している（Ｓ５０７）。この結果，返信された場合には，ステップＳ５０９に進み，一方，返信されていない場合には，ＡＶバッファ３０３に記憶可能な空き領域が発生するまで待機する（Ｓ５０８）。
【００８６】
その後，インターフェース回路３０５は，ＡＶバッファ３０３からＷＲＩＴＥ許可信号が受信されると，ＨＤＤバッファ３０７に保存されたデータ（即ち，上記再生対象のストリーム情報Ｓのデジタルデータ）を読み出し（Ｓ５０９），読み出したデータをＡＶバッファ３０３に書き込む（Ｓ５１０）。
【００８７】
次いで，ＡＶ機器２１０は，再生対象のストリーム情報Ｓの再生処理を実行する。具体的には，ＡＶコントローラ３０２は，ＡＶバッファ３０３に保存されたデータ（即ち，上記再生対象のストリーム情報Ｓのデジタルデータ）を読み出して，ＡＶ信号処理回路３０１に出力する。すると，ＡＶ信号処理回路３０１は，入力されたデータをビデオデータとオーディオデータとに分離した後に，それぞれ決まった信号処理規格によって処理し，再生ビデオ信号はディスプレイ３０４に出力し，再生オーディオ信号はスピーカ（図示せず，）に出力する（Ｓ５１１）。
【００８８】
このような動作により，マルチメディアシステムでのディスクドライブのディスク３１６には，ストリーム情報Ｓだけが保存され，非ストリーム情報Ａはディスク３１６とは異なる別途の保存手段（例えば，付加情報メモリ３０６）に保存されるので，記録／再生時にシーク時間を短縮することができる。
【００８９】
以上詳細に説明したように，本実施形態にかかるマルチメディアシステムでは，マルチメディアシステムのホスト機器（例えばＡＶ機器２１０）で処理された情報を，ストリーム情報Ｓと非ストリーム情報Ａとに分離して，ストリーム情報Ｓだけをディスクドライブのディスク３１６に記録し，非ストリーム情報Ａはディスク３１６とは異なる別途の保存手段（例えば，付加情報メモリ３０６）に保存する。これにより，ストリーム情報Ｓをリード／ライトするために，ストリーム情報Ｓを管理するための非ストリーム情報Ａをディスク３１６にリード／ライトするためのシーク時間及びリード／ライト時間を短縮することができる。このため，マルチメディアシステムにおいて，データ保存／再生処理を効率化できる。また，ディスク３１６にストリーム情報Ｓだけ（即ち，１種類のデータのみ）が保存されるため，データの規則性を向上させて，ディスク欠陥の発生率を低減できる。
【００９０】
なお，本発明は，方法，装置，プログラム，システムとして実現されうる。ソフトウェアとして実行される時，本発明の構成要素は，必然的に必要な作業を実行するコードセグメントである。プログラムまたはコードセグメントは，プロセッサ読み取り可能媒体に保存され，伝送媒体または通信網で搬送波と結合されたコンピュータデータ信号によって伝送されうる。プロセッサ読み取り可能媒体は，情報を記憶または伝送できるいかなる媒体も含む。プロセッサ読み取り可能媒体の例としては，電子回路，半導体メモリ素子，ＲＯＭ，フラッシュメモリ，ＥＥＰＲＯＭ，フロッピー（登録商標）ディスク，光ディスク，ハードディスク，光ファイバ媒体，無線周波数（ＲＦ：Ｒａｄｉｏ  Ｆｒｅｑｕｅｎｃｙ）網などがある。コンピュータデータ信号は，電子網チャンネル，光ファイバ，空気，電磁界，ＲＦ網のような伝送媒体上に伝播されうるいかなる信号も含まれる。
【００９１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９２】
本発明は，マルチメディアシステムにおけるデータ記録／再生方法，データ再生方法，データ記録／再生装置，データ再生装置に適用可能であり，特に，ＨＤＤのシーク時間及びリード／ライト時間を短縮し，ディスク欠陥発生を改善させうるマルチメディアシステムなどに適用可能である。
【図面の簡単な説明】
【００９３】
【図１】従来のマルチメディアシステムにおけるデータ記録／再生方法を説明するためのブロック図である。
【図２】本発明の第１の実施形態にかかるマルチメディアシステムの概略構成を示すブロック図である。
【図３】同実施形態にかかるマルチメディアシステムの詳細な構成を示すブロック図である。
【図４】同実施形態にかかるマルチメディアシステムにおけるデータ記録方法を示すフローチャートである。
【図５】同実施形態にかかるマルチメディアシステムにおけるデータ再生方法を示すフローチャートである。
【図６】図４に示すＳ４０９段階の詳細を示すフローチャートである。
【図７】図５に示すＳ５０３段階の詳細を示すフローチャートである。
【符号の説明】
【００９４】
２１０    ホスト機器（ＡＶ機器）
２２０    ホストバッファ
２３０    インターフェース回路
２４０    ＨＤＤバッファ
２５０    ＨＤＤのディスク
２６０    追加メモリ手段
【図１】
2005018978.tif 000003
【図２】
2005018978.tif 000004
【図３】
2005018978.tif 000005
【図４】
2005018978.tif 000006
【図５】
2005018978.tif 000007
【図６】
2005018978.tif 000008
【図７】
2005018978.tif 000009